(57)【特許請求の範囲】
【請求項１】
第１の処理槽と第２の処理槽を有し、第１の処理槽の上方部から第２の処理槽内の上方部へ通じる溢流口を開設し、第２の処理槽内に吸込口を第２の処理槽内の下方部へ開口させたリサーキュレーションポンプを装備し、該リサーキュレーションポンプの吐出口に返送用導管を接続し、該返送用導管を第２の処理槽内から上導し第１の処理槽内へシーベルジョイントによって軸方向へ回動するよう導下して処理水中へ水没させ、導下部に上下方向に分岐状に側開型の複数の噴出口を開閉バルブを付設して開口させ、且つ、第２の処理槽内の下方部にエアレータの散気口を開口させたことを特徴とする、循環送水装置を備えた汚水処理施設。
【発明の詳細な説明】
【０００１】
【発明の技術分野】
本発明は汚水処理施設における循環送水装置、更に詳しくは、少なくとも攪拌槽と曝気槽を有し、曝気槽内で硝化された処理水を攪拌槽内へ循環送水させることにより、脱窒菌の働きで流入汚水中の有機炭素源と硝化された処理水を反応させて、脱窒を行わせるための循環送水装置に関するものである。
【０００２】
【従来技術とその問題点】
従来この種の装置は図２に示すよう、第１の処理槽内に攪拌機１０５Ａを設置して攪拌槽１０１となし、第２の処理槽内にエアレータ１１０の散気口１１１を開口させて曝気槽１０２となし、攪拌槽１０１の上方部から曝気槽１０２内の上方部へ通じる溢流口１０３を開設し、曝気槽１０２内に返送用の渦巻式遠心ポンプ１０５Ｂを沈設してその吐出口から上導された返送用導管１０８の先端部を攪拌槽１０１の上面へ開口させている。そして曝気槽１０２内の好気処理で硝化された処理水を遠心ポンプ１０５Ｂの作動で攪拌槽１０１内へ返送させ、脱窒菌の働きで流入汚水中の有機炭素源と前記硝化された処理水を反応させて嫌気処理し、溢流口１０３を通って再び曝気槽１０２内へ移動させるという循環送水の継続によって次第に窒素の除去率を高めて行くのである。
【０００３】
一般に汚水処理施設における処理槽の深さは４〜６ｍ程度に作られており、処理水の返送揚程は実質０．５〜１ｍ程度の低揚程であるのに対して、渦巻式遠心ポンプはその特性上、吐出揚程が７〜１０ｍで最も高率が良く、低揚程の大水量の用途には適しておらず、これを上述のような低揚程で使用するについてはオーバロードをさせないために、複数台のポンプの吐出制御を行うか、又は１ランクもしくはそれ以上に運転動力の大きなポンプを使用するか、或は返送用の管路中に流量調整用のバルブを介設させてその開度操作で返送水量を規制しポンプの吐出揚程を上げるなど、動力的に極めて無駄の多い非効率な使われ方であると共にポンプ設備のコンパクト化も困難であり、これが施工コストおよびランニングコストをも増大させるさせる要因となっている。また、渦巻式遠心ポンプは羽根車への異物の絡み付が生じた場合、吸込みカバーを取外さなければ羽根車の異物閉塞を解除することができず、メンテナンス性も悪いという欠点がある。更にまた、曝気槽１０２内から上導された返送用導管１０８は該槽１０２の上端開口部よりも上方へ立上げてから先端部を攪拌槽１０１の水面へ接することなく該槽１０１上へ向けて開口させた態様となるため、最低でも水面から管頂部までの距離Ｈのポンプ吐出揚程が作用し、最大吐出量の得られる揚程０ｍのポンプ運転状態とすることができないのである。
【０００４】
【発明の目的】
本発明の目的は、上述した従来の渦巻式遠心ポンプを備えた循環返水装置の諸欠点を払拭して、汚水処理施設における二槽間の循環送水が合理的高効率に行われ、ポンプ設備のコンパクト化と施工コストおよびランニングコストを低減でき、また、羽根車への異物の絡み付きを生じた場合でも迅速で容易にこれを除去できて、メンテナンス性に優れた循環返水装置を提供することにある。
【０００５】
【発明の構成】
本発明に係る循環送水装置を備えた汚水処理施設では、第１の処理槽と第２の処理槽を有し、第１の処理槽の上方部から第２の処理槽内の上方部へ通じる溢流口を開設し、第２の処理槽内に吸込口を第２の処理槽内の下方部へ開口させたリサーキュレーションポンプを装備し、該リサーキュレーションポンプの吐出口に返送用導管を接続し、該返送用導管を第２の処理槽内から上導し第１の処理槽内へシーベルジョイントによって軸方向へ回動するよう導下して処理水中へ水没させ、導下部に上下方向に分岐状に側開型の複数の噴出口を開閉バルブを付設して開口させ、且つ、第２の処理槽内の下方部にエアレータの散気口を開口させた。
【０００６】
【実施例】
以下実施例の図面により説明をする。
【０００７】
１は汚水処理施設における第１の処理槽、２は第２の処理槽である。３は第１の処理槽１の上方部から第２の処理槽２内の上方部へ通じるよう開設された溢流口、５は昇降機構（図示せず）によって第２の処理槽２内へ昇降自在の脱着式リサーキュレーションポンプであり、下降時には吸込口が第２の処理槽２内の下方部へ開口され吐出口は後記返送用導管８の始端開口部へ接続された態様となる。始端開口部にリサーキュレーションポンプ５の吐出口を接続させた返送用導管８は、第２の処理槽２内から上導されて第１の処理槽１内へ導下させた導下部８ａを処理水中へ水没させ、該導下部８ａがシーベルジョイント１５によって軸方向へ回動するよう構成されているので、側開型の噴出口１４を左右に首振り回動させて噴出方向を可変とすることができ、また、複数の噴出口１４・・・１４を導下部８ａから上下方向と複数方向に分岐状に導出させて開閉バルブ１６をそれぞれ付設されていることから、噴出量および噴出方向の調整も可能となる。１０は散気口１１を第２の処理槽２内の下方部へ開口させたエアレータである。
【０００８】
第１の処理槽１内には調整槽１２から汚水が定量ずつ送り込まれる。上方部の汚水は溢流口３を通って第２の処理槽２内へ流入し、連通作用によって両槽１，２内は同一水位となる。第２の処理槽２でエアレータ１０の好気処理によって硝化された処理水は、リサーキュレーションポンプ５の駆動により返送用導管８を通って第１の処理槽１内へ返送されると共に該槽１内には攪拌作用が生じ、流入汚水中の有機炭素源と前記硝化された処理水を反応させて嫌気処理が施され、溢流口３を通って再び第２の処理槽２内へ移動されるという循環返水の継続によって次第に窒素の除去率が高められて行く。所定の脱窒処理を終えた処理水は流出口１３から流出される。
【０００９】
【発明の効果】
本発明によれば、返送用導管８の先端部が第１の処理槽１内の処理水中へ水没されシーベルジョイント１５によって軸方向へ回動する導下部８ａに上下方向と複数方向に分岐状に複数の側開型の噴出口１４・・・１４に付設された開閉バルブ１６により、リサーキュレーションポンプ５による循環送水が合理的高効率に行われ、従来のこの種の装置における渦巻式遠心ポンプの使用条件と比較すれば１／２〜１／３の少動力で済み、省エネルギー化によってランニングコストを低減すると共にポンプ設備およびポンプ自体のコンパクト化が可能となり、また、上記リサーキュレーションポンプによって第１の処理槽１の槽底部から槽内全体に均一な攪拌が行われるため、従来のように専用の攪拌機を内装させる必要がなく施工コストが低減され、更にまた、羽根車への異物の絡み付きを生じた場合でも、機器を分解することなく迅速且つ容易にその異物を除去でき、メンテナンス性に優れているという利点がある。
【図面の簡単な説明】
【図１】  本発明に係る循環送水装置の構成図である。
【図２】  従来の循環送水装置の構成図である。
【符号の説明】
１      第１の処理槽
２      第２の処理槽
３      溢流口
５      リサーキュレーションポンプ
８      返送用導管
８ａ    導下部
１０    エアレータ
１１    散気口
１４    噴出口
１５    シーベルジョイント
１６    開閉バルブ
【図１】
0004338873.tif 000002
【図２】
0004338873.tif 000003